(57)【要約】【課題】  露光条件の異なる複数の撮影モードを備えたレンズ付きフイルムユニットにおいて、余計な電力消費を抑えながら適切ではない撮影モードが選択されることを防止する。【解決手段】  振動検知スイッチ３０が振動を検知すると、プリント基板２９の各部に電力が供給される。電力が供給された第１判定回路５２は、測光センサ１６の出力信号が所定のしきい値に達しているか否かを比較して適切な撮影モードを判定する。第２判定回路５４は、第１判定回路５２が判定した撮影モードと、操作部材１５によって選択されている撮影モードとが合っているか否かを判定する。ＬＥＤドライバ５８は、第２判定回路５２の判定結果に応じて、両者の撮影モードが合っている際にＯＫ用ＬＥＤ１７を点灯させ、合っていない際にＮＧ用ＬＥＤ１８を点灯させて撮影者に報知する。【選択図】        図６
2006085014.tif 000002
【特許請求の範囲】
【請求項１】
露光条件の異なる複数の撮影モードを備えたレンズ付きフイルムユニットにおいて、
前記複数の撮影モードを択一的に選択するモード選択手段と、
被写体からの光を測定する測光センサと、
加えられた振動を検知する振動検知スイッチと、
この振動検知スイッチが振動を検知したことに応じて起動し、前記測光センサの測定結果を基にして適切な撮影モードを判定する測光判定部と、
この測光判定部の判定結果を撮影者に報知する報知手段とを備えたことを特徴とするレンズ付きフイルムユニット。
【請求項２】
前記測光判定部は、適切な撮影モードを判定した後、この判定した撮影モードと前記モード選択手段によって選択されている撮影モードとが合っているか否かの判定を行い、この判定結果を前記報知手段に報知させることを特徴とする請求項１記載のレンズ付きフイルムユニット。
【請求項３】
前記振動検知スイッチは、板状の第１端子と、この第１端子と所定の間隔をあけて略平行に設けられる板状の第２端子と、揺動自在に保持されるハンマーとから構成され、
加えられた振動に応じて揺動した前記ハンマーが前記第２端子を叩き、前記第２端子と前記第１端子とが接触することにより、振動を検知することを特徴とする請求項１又は２記載のレンズ付きフイルムユニット。
【請求項４】
ＩＳＯ１６００以上のフイルム感度を有する未露光の写真フイルムが予め装填されていることを特徴とする請求項１から３のいずれか１項に記載のレンズ付きフイルムユニット。
【発明の詳細な説明】
【技術分野】
【０００１】
本発明は、露光条件の異なる複数の撮影モードを備えたレンズ付きフイルムユニットに関する。
【背景技術】
【０００２】
未露光の写真フイルムが予め装填された１回使用型の簡易カメラであるレンズ付きフイルムユニットが知られている。このレンズ付きフイルムユニットは、シャッタ機構やフイルム巻上げ機構などの撮影機構が簡略化されて安価であることや、撮影操作が簡単であることなどを特徴としており、手軽に利用できることから一般に広く普及している。
【０００３】
レンズ付きフイルムユニットでは、その普及にともなうようにして、例えば、夜間用、接近用、望遠用、連続撮影用など、様々な撮影シーンに対応した複数の商品が販売されてきた。さらに近年では、本出願人により製造・販売されている「Ｎｉｇｈｔ＆Ｄａｙ（商品名）」などで知られるように、露光条件の異なる複数の撮影モードを備えたモード切替型のレンズ付きフイルムユニットも登場している。
【発明の開示】
【発明が解決しようとする課題】
【０００４】
このようなレンズ付きフイルムユニットでは、夕暮れ時や明るい屋内などのような明るすぎも暗すぎもしない撮影シーンの際に、どの撮影モードを選択すればよいのか分からず、適切ではない撮影モードを選択してしまうという問題がある。レンズ付きフイルムユニットでは、適切ではない撮影モードで撮影を行ったとしても現像するまでその結果を知ることができないので、大切なシーンを綺麗に残せなくなってしまう。
【０００５】
この問題の解決策として、被写体からの光をセンサで測定して、その測定結果を基に適切な撮影モードを判定する方法が考えられる。しかしながら、判定を行うため設けられる回路は、当然ながら電力を必要とするので、常に測光を行っていたのでは、電池切れを起こすことが懸念される。レンズ付きフイルムユニットでは、電池の交換を行うことができないので電池切れは致命的な問題となってしまう。
【０００６】
本発明は、上記課題を鑑みてなされたものであって、余計な電力消費を抑えつつ、適切ではない撮影モードが選択されることを防止したレンズ付きフイルムユニットを提供することを目的とする。
【課題を解決するための手段】
【０００７】
上記課題を解決するため、本発明のレンズ付きフイルムユニットは、複数の撮影モードを択一的に選択するモード選択手段と、被写体からの光を測定する測光センサと、加えられた振動を検知する振動検知スイッチと、この振動検知スイッチが振動を検知したことに応じて起動し、前記測光センサの測定結果を基にして適切な撮影モードを判定する測光判定部と、この測光判定部の判定結果を撮影者に報知する報知手段とを備えたことを特徴とする。
【０００８】
なお、前記測光判定部は、適切な撮影モードを判定した後、この判定した撮影モードと前記モード選択手段によって選択されている撮影モードとが合っているか否かの判定を行い、この判定結果を前記報知手段に報知させることが好ましい。
【０００９】
また、前記振動検知スイッチを、板状の第１端子と、この第１端子と所定の間隔をあけて略平行に設けられる板状の第２端子と、揺動自在に保持されるハンマーとから構成し、加えられた振動に応じて揺動する前記ハンマーで前記第２端子を叩き、前記第２端子と前記第１端子とを接触させることにより、振動を検知することが好ましい。
【００１０】
さらに、予め装填されている未露光の写真フイルムは、ＩＳＯ１６００以上のフイルム感度を有していることが好ましい。
【発明の効果】
【００１１】
本発明のレンズ付きフイルムユニットによれば、入射する光量を測光センサで測定して、その測定結果を基に適切な撮影モードを判定し、判定結果を撮影者に報知するので、撮影者は事前に適切な撮影モードを知ることができ、どの撮影モードを選択すればよいのか分からないような撮影シーンでも、適切な撮影モードを選択することができる。また、報知手段によって撮影者に注意を促すので、モード選択手段の操作忘れも防止することもできる。
【００１２】
さらに、適切な撮影モードを判定する測光判定部を、振動検知スイッチが振動を検知したことに応じて起動させることにより、例えば、放置された非使用状態では測光を行わないので、余計な電力消費を抑えることができる。
【発明を実施するための最良の形態】
【００１３】
図１から図３に、レンズ付きフイルムユニットの外観を示す。レンズ付きフイルムユニット２は、各種撮影機構が組み込まれたユニット本体３と、このユニット本体３の製造時に装填されるフイルムパトローネと、ユニット本体３の外周に巻き付けられるように貼られるラベル４とからなる。ラベル４には、ユニット本体３の各部を露呈させるための開口が形成されている。
【００１４】
ユニット本体３の前面には、撮影レンズ５、ファインダ６、撮影モード選択部（モード選択手段）８が設けられており、さらには被写体からの光を測定する測光センサ１６が露呈している。また、ユニット本体３の上面には、レリーズボタン９、カウンタ表示窓１０が設けられ、背面には撮影後のフイルム巻き上げに用いられる巻き上げノブ１２と、報知手段としてのＯＫ用ＬＥＤ１７とＮＧ用ＬＥＤ１８とが設けられている。なお、各ＬＥＤ１７、１８は、同色のＬＥＤでもよいし、例えば、ＯＫ用ＬＥＤ１７を緑、ＮＧ用ＬＥＤ１８を赤とするなど、撮影者が判別しやすいように色分けを行うようにしてもよい。
【００１５】
撮影モード選択部８は、ユニット本体３の前面に形成された操作開口１４と、この操作開口１４内で回動自在とされた略小判形状の操作部材１５とからなる。操作部材１５は、図１に示される第１操作位置と、図２に示される第１操作位置から図中時計方向に回動した第２操作位置との間で回動する。
【００１６】
レンズ付きフイルムユニット２は、操作部材１５が第１操作位置にある際に、小絞り及び高速シャッタの第１撮影モードとなる。また、操作部材１５が第２操作位置にある際には、大絞り及び低速シャッタの第２撮影モードとなる。
【００１７】
図４は、ユニット本体３の構成を概略的に示す分解斜視図である。ユニット本体３は、１３５タイプのフイルムパトローネ２２が装填される本体基部２３と、この本体基部２３の前面側に取り付けられる測光ユニット（測光判定部）２４と、撮影モードの切り替えを行うモード切替機構２５と、本体基部２３の前面側及び背面側に取り付けられる前カバー２６及び後カバー２７とからなる。なお、フイルムパトローネ２２は、ＩＸ２４０タイプやブローニタイプなどの、その他のタイプを用いるようにしてもよい。
【００１８】
フイルムパトローネ２２は、パトローネ２２ａと、写真フイルム２２ｂとからなり、前述のようにユニット本体３の製造時に装填される。なお、写真フイルム２２ｂとしては、ＩＳＯ１６００以上のフイルム感度を有する高感度フイルムを装填することが好ましい。これにより、ストロボなどのフラッシュ装置を用いなくても暗い撮影シーンでの描写性を向上させることができる。
【００１９】
測光ユニット２４は、各種電気部品が取り付けられて測光回路が形成されたプリント基板２９と、このプリント基板２９に実装される振動検知スイッチ３０、及び電池３２を測光回路に接続する電池切片３３などから構成されている。また、プリント基板２９には振動検知スイッチ３０の他に、前面方向に設けられた測光センサ１６と、撮影者に報知を行うために背面方向に設けられたＯＫ用ＬＥＤ１７及びＮＧ用ＬＥＤ１８とが実装されている。
【００２０】
本体基部２３の前面中央には、遮光筒３５が設けられている。この遮光筒３５の周囲には、シャッタチャージ機構、シャッタ機構、フイルム巻き上げ機構、フイルム巻き止め機構、フイルムカウント機構、絞り切替機構、シャッタ速度切替機構、撮影光学系、ファインダ光学系などが組み込まれている。なお、これらの各種機構、及びモード切替機構２５には、公知の機構を用いればよい。
【００２１】
図５は、レンズ付きフイルムユニット２に加えられた振動を検知する振動検知スイッチ３０の構成を概略的に示す説明図である。振動検知スイッチ３０は、板状に成型された第１端子４０、第２端子４２、及び軸４４ａを中心としてケース４６に揺動自在に保持されるハンマー４４とから構成されている。第１端子４０、第２端子４２は、一端をケース４６に保持されており、この一端から伸びるリード線６０、６２が、それぞれプリント基板２９と電池３２とに接続されている。
【００２２】
第２端子４２は、図中実線で示されるように第１端子４０と所定の間隔をあけて略平行に設けられている。このため、レンズ付きフイルムユニット２が静止している状態、もしくはゆっくりと動かされているような状態では、振動検知スイッチ３０がＯＦＦとなる。
【００２３】
一方、レンズ付きフイルムユニット２が大きく動かされると、ハンマー４４が軸４４ａを中心として揺動し、第２端子４２を叩く。ハンマー４４によって叩かれた第２端子４２は、弾性変形して図中二点鎖線で示すように第１端子４０と接触し、振動検知スイッチ３０をＯＦＦからＯＮに切り替えて、振動を検知する。
【００２４】
このように、振動検知スイッチ３０を２つの端子４０、４２と、ハンマー４４とによって構成することにより、振動検知を安価に行うことができる。また、検知可能な振動の大きさは、第２端子４２の剛性に依存しており、この剛性を低くすることによって検出精度を上げることができる。しかしながら、第２端子４２の剛性を低くしすぎると、移動など撮影以外の状況で振動を検知してしまうことが懸念されるので、第２端子４２は、移動などでは検知しない程度の剛性を有していることが好ましい。また、第２端子４２の剛性を高めにしておき、意図的に大きな振動を与えないと検知しないようにしてもよい。
【００２５】
また、上記構成による振動検知スイッチ３０では、図中上下方向に発生した振動のみを検知する。この振動検知スイッチ３０で検知させる振動の方向は、レンズ付きフイルムユニット２の上下、左右、前後のいずれの方向でもよいし、斜めに取り付けて複数の方向を検知させるようにしてもよい。さらには、上下、左右、前後の方向に各１つずつ設けて、全ての方向の振動を検知するようにしてもよい。なお、撮影者が操作した際に発生する振動は、複数の方向に及ぶことが通常であるので、一方向のみの検知であっても何ら問題はない。
【００２６】
図６は、測光ユニット２４の構成を概略的に示すブロック図である。プリント基板２９に形成された測光回路は、タイマー回路５０、第１判定回路５２、第２判定回路５４、アンプ５６、及びＬＥＤドライバ５８などから構成されている。
【００２７】
タイマー回路５０は、振動検知スイッチ３０が振動を検知した際に、電池３２から電力が供給されて起動する。起動したタイマー回路５０は、所定の時間を計時して、この時間の間だけプリント基板２９の各部に電池３２からの電力を供給し、所定の時間が経過した後に停止する。なお、タイマー回路５０による計時は、振動検知スイッチ３０が振動を検知する度にリセットするようにしてもよいし、最初の振動検知を受け付けた後、所定の時間が経過するまでは次の振動検知を受け付けないようにしてもよい。
【００２８】
アンプ５６は、測光センサ１６の出力信号を、例えば、０〜＋５Ｖの電圧に変換して第１判定回路５２に入力する。
【００２９】
第１判定回路５２は、例えば、コンパレータであって、測光センサ１６の出力信号が、所定のしきい値に達しているか否かを比較し、その結果を第２判定回路５４に入力する。測光センサ１６の出力信号は、入射する光量に応じて増減するので、測光センサ１６の出力信号が所定のしきい値以下であるときには、大絞り及び低速シャッタの第２撮影モードが適切であり、測光センサ１６の出力信号が所定のしきい値以上であるときには、小絞り及び高速シャッタの第１撮影モードが適切であると判定することができる。
【００３０】
第２判定回路５４は、例えば、ＸＯＲゲート（排他的論理和）であって、第１判定回路５２が判定した撮影モードと、操作部材１５によって選択されている撮影モードとが合っているか否かを判定して、その判定結果をＬＥＤドライバ５８に入力する。
【００３１】
ＬＥＤドライバ５８は、第２判定回路５４の判定結果に応じて、両者の撮影モードが合っている際にＯＫ用ＬＥＤ１７を点灯させ、合っていない際にＮＧ用ＬＥＤ１８を点灯させる。
【００３２】
ここで、第１判定回路５２をコンパレータ、第２判定回路５４をＸＯＲゲート、かつ操作部材１５を第１操作位置にあるときにＯＮとなるスイッチとおいた際の判定動作について説明する。コンパレータである第１判定回路５２は、測光センサ１６の出力信号が所定のしきい値以下であるときに「０」を出力し、所定のしきい値以上であるときに「１」を出力する。なお、前述のとおり出力値が「０」のときには第２撮影モードが適切であり、出力値が「１」のときには第１撮影モードが適切と判定される。但し、「１」、「０」は、いわゆる真理値であって、回路上では、例えば、＋５Ｖ、０Ｖで表現される。
【００３３】
また、操作部材１５は、第１操作位置にあるときにＯＮとなって「１」を出力し、第２操作位置にあるときにＯＦＦとなって「０」を出力する。すなわち、第１判定回路５２と操作部材１５との両者とも、出力値が「１」であるときに第１撮影モードを示し、出力値が「０」であるときに第２撮影モードを示す。
【００３４】
ＸＯＲゲートである第２判定回路５４は、第１判定回路５２の出力と操作部材１５の出力とが合っている際に「０」を、合っていない際には「１」をＬＥＤドライバ５８に出力する。
【００３５】
ＬＥＤドライバ５８は、第２判定回路５４の出力値が「０」であるときにＯＫ用ＬＥＤ１７を点灯させ、出力値が「１」であるときにＮＧ用ＬＥＤ１８を点灯させる。以上のようにして、レンズ付きフイルムユニット２は、適切な撮影モードが選択されているか否かを撮影者に報知する。
【００３６】
なお、プリント基板２９に形成される測光回路の構成は、上記に限るものではないが、上記のように測光回路をロジックで構成することにより、測光センサ１６の出力信号の変化、及び撮影者による操作部材１５の切り替えを、リアルタイムで各ＬＥＤ１７、１８に反映することができるとともに、消費電力を抑えることができる。
【００３７】
このように、本実施形態のレンズ付きフイルムユニット２によれば、適切な撮影モードが選択されているか否かを撮影者に報知することができるので、撮影者は事前に適切な撮影モードを知ることができ、どの撮影モードを選択すればよいのか分からないような撮影シーンでも、適切な撮影モードを選択することができる。また、背面に設けられた各ＬＥＤ１７、１８によって、撮影者に注意を促すので、操作部材１５の操作忘れを防止することもできる。
【００３８】
また、プリント基板２９に形成された測光回路を振動検知スイッチ３０の振動検知によって起動するようにしたので、レンズ付きフイルムユニット２の操作性を損なうことなく携帯時などの余計な電力消費を抑えることができる。
【００３９】
なお、本実施形態では、報知手段としてＬＥＤを用いているが、これに限ることなく、例えば、小型の電球などの他の発光部品を用いてもよいし、液晶パネルなどの表示装置を用いてもよい。さらには、スピーカを設けて音声で報知するようにしてもよい。
【００４０】
また、本実施形態では、第１判定回路５２が判定した撮影モードと、操作部材１５（モード切替レバー８４）によって選択されている撮影モードとが合っているか否かを第２判定回路５４で判定して、適切な撮影モードが選択されているか否かを報知するようにしているが、例えば、第１判定回路の判定結果をＬＥＤドライバ５８に入力して、操作すべき撮影モードを報知するようにしてもよい。
【図面の簡単な説明】
【００４１】
【図１】レンズ付きフイルムユニットの第１撮影モードの状態を示す外観斜視図である。
【図２】レンズ付きフイルムユニットの第２撮影モードの状態を示す外観斜視図である。
【図３】レンズ付きフイルムユニットの構成を概略的に示す背面方向から見た平面図である。
【図４】レンズ付きフイルムユニットの構成を示す分解斜視図である。
【図５】振動検知スイッチの構成を概略的に示す説明図である。
【図６】測光ユニットの構成を概略的に示すブロック図である。
【符号の説明】
【００４２】
２  レンズ付きフイルムユニット
５  撮影レンズ
８  撮影モード選択部（モード選択手段）
１６  測光センサ
１７  ＯＫ用ＬＥＤ（報知手段）
１８  ＮＧ用ＬＥＤ（報知手段）
２２  フイルムパトローネ
２２ｂ  写真フイルム
２４  測光ユニット（測光判定部）
３０  振動検知スイッチ
４０  第１端子
４２  第２端子
４４  ハンマー
【図１】
2006085014.tif 000003
【図２】
2006085014.tif 000004
【図３】
2006085014.tif 000005
【図４】
2006085014.tif 000006
【図５】
2006085014.tif 000007
【図６】
2006085014.tif 000008